(57)【要約】【課題】  エネルギーの使用量の予測値と実測値とを視覚的に分かりやすく表示することが可能な、エネルギー消費量表示装置等を提供する。【解決手段】  表示画面２０には、アナログ時計表示部２１が表示される。アナログ時計表示部２１は、時刻の推移とともに、長針および短針が移動する。すなわち、アナログ時計表示部２１は、通常の時計として機能する。アナログ時計表示部２１の時計盤上には、アナログ時計と同心円上に電力消費量予測値表示部２５が設けられる。電力消費量予測値表示部２５には、設定時間範囲における、所定時間毎の電力消費量の予測値が色によって表示される。また、電力消費量予測値表示部２５と同心円上には、電力消費量実績値表示部２３が設けられる。【選択図】図３
2014096106.tif 000002
【特許請求の範囲】
【請求項１】
エネルギー消費量表示装置であって、
過去の所定時間毎のエネルギー消費量情報を記憶する記憶部と、
前記記憶部における前記エネルギー消費量情報に基づいて、所定時間毎のエネルギー消費量を予測するエネルギー消費量予想手段と、
所定時間毎のエネルギー消費量の実績を取得するエネルギー消費量取得手段と、
所定時間毎のエネルギー消費量の予測値と実績値とを表示する表示部と、
を具備し、
前記表示部には、アナログ時計表示部と、前記アナログ時計表示部の時計盤上に同心円上に設けられるエネルギー消費量予測値表示部およびエネルギー消費量実測値表示部と、が表示され、
前記エネルギー消費量予測値表示部には、設定された所定時間範囲の時間毎のエネルギー消費量の予測値を色によって表示可能であり、前記エネルギー消費量実測値表示部には、設定された所定時間範囲の時間毎のエネルギー消費量の実測値を色によって表示可能であり、
前記アナログ時計表示部の短針の動作に応じて、前記エネルギー消費量実測値表示部に、所定時間毎にエネルギー消費量実測値を表示することを特徴とするエネルギー消費量表示装置。
【請求項２】
前記表示部には、計算開始時から現在までのエネルギー消費量に基づいて算出される時間当たりのエネルギー消費換算量をリアルタイムに表示可能であることを特徴とする請求項１記載のエネルギー消費量表示装置。
【請求項３】
前記エネルギー消費換算量が所定量を超えると、前記表示部の背景色を変化させ、警告を表示することを特徴とする請求項２記載のエネルギー消費量表示装置。
【請求項４】
前記計算開始時から所定のマスク時間は、前記エネルギー消費換算量が所定量を超えても、前記表示部の背景色の変化と警告表示を行わないことを特徴とする請求項３記載のエネルギー消費量表示装置。
【請求項５】
前記アナログ時計表示部の時計盤上に同心円上に、生活情報を合わせて表示することを特徴とする請求項１から請求項４のいずれかに記載のエネルギー消費量表示装置。
【請求項６】
エネルギー消費量表示方法であって、
記憶部に記憶されている過去の所定時間毎のエネルギー消費量情報に基づいて、所定時間毎のエネルギー消費量を予測する工程と、
所定時間毎のエネルギー消費量の実績を取得する工程と、
所定時間毎のエネルギー消費量の予測値と実績値とを表示部に表示する工程と、
を具備し、
前記表示部には、アナログ時計表示部と、前記アナログ時計表示部の時計盤上に同心円上に設けられるエネルギー消費量予測値表示部およびエネルギー消費量実測値表示部とを表示し、
前記エネルギー消費量予測値表示部には、設定された所定時間範囲の時間毎のエネルギー消費量の予測値を色によって表示し、
前記アナログ時計表示部の短針の動作に応じて、前記エネルギー消費量実測値表示部に、所定時間毎にエネルギー消費量実測値を色によって表示することを特徴とするエネルギー消費量表示方法。
【発明の詳細な説明】
【技術分野】
【０００１】
本発明は、電力などのエネルギーの消費量の予測と実測を、利用者が視覚的に把握しやすいエネルギー消費量表示装置およびエネルギー消費量表示方法に関するものである。
【背景技術】
【０００２】
近年、省エネルギーの意識が高まっている。このような中、電力などのエネルギー消費量の予測値と実測値とを表示し、エネルギー消費者がこれらを把握することで、消費者の省エネルギーに対する意識を高め、効率の良い省エネルギー活動を行うことができる。
【０００３】
このようなエネルギー消費量の表示方法としては、消費電力量の削減分の目標値と実績値との差を表示し、目標値と実績値とを容易に比較することが可能な省エネ効果表示方法がある（特許文献１）。
【先行技術文献】
【特許文献】
【０００４】
【特許文献１】特開２０１０−１５７２６１号公報
【発明の概要】
【発明が解決しようとする課題】
【０００５】
しかし、特許文献１のような、従来の省エネ効果を表示する手段は、時間毎の予測値や実測値の数値を、棒グラフや表に表示させるものである。このように表示された情報は、例えば専門の知識を有する管理者がいるような場合には有効な手段であるが、店舗や建物などにおいて、特に専門の知識を有さない利用者などがその内容を把握するためには、必ずしも視覚的に把握しやすいものではなかった。
【０００６】
本発明は、このような問題に鑑みてなされたもので、エネルギーの使用量の予測値と実測値とを視覚的に分かりやすく表示することが可能な、エネルギー消費量表示装置等を提供することを目的とする。
【課題を解決するための手段】
【０００７】
前述した目的を達するために第１の発明は、エネルギー消費量表示装置であって、過去の所定時間毎のエネルギー消費量情報を記憶する記憶部と、前記記憶部における前記エネルギー消費量情報に基づいて、所定時間毎のエネルギー消費量を予測するエネルギー消費量予想手段と、所定時間毎のエネルギー消費量の実績を取得するエネルギー消費量取得手段と、所定時間毎のエネルギー消費量の予測値と実績値とを表示する表示部と、を具備し、前記表示部には、アナログ時計表示部と、前記アナログ時計表示部の時計盤上に同心円状に設けられるエネルギー消費量予測値表示部およびエネルギー消費量実測値表示部と、が表示され、前記エネルギー消費量予測値表示部には、設定された所定時間範囲の時間毎のエネルギー消費量の予測値を色によって表示可能であり、前記エネルギー消費量実測値表示部には、設定された所定時間範囲の時間毎のエネルギー消費量の実測値を色によって表示可能であり、前記アナログ時計表示部の短針の動作に応じて、前記エネルギー消費量実測値表示部に、所定時間毎にエネルギー消費量実測値を表示することを特徴とするエネルギー消費量表示装置である。
【０００８】
このようにすることで、アナログ時計上の設定時間範囲について、エネルギー消費量の予測値と実績値とを色によって表示するため、遠くからでも把握しやすい。特に、例えば店舗等の営業時間についてのみ、アナログ時計上に実績値等を表示させるため、営業時間とエネルギー消費実績との関係が分かりやすく、時計を見る感覚で、省エネ効果を把握することができる。
【０００９】
また、本発明では、前記表示部には、計算開始時から現在までのエネルギー消費量に基づいて算出される時間当たりのエネルギー消費換算量をリアルタイムに表示可能であることが望ましい。
【００１０】
この場合、前記エネルギー消費換算量が所定量を超えると、前記表示部の背景色を変化させ、警告を表示することが望ましい。また、前記計算開始時から所定のマスク時間は、前記エネルギー消費換算量が所定量を超えても、前記表示部の背景色の変化と警告表示を行わないことが望ましい。
【００１１】
このようにすることで、利用者は、過去の実績のみではなく、現在の（所定時間範囲の）実際のエネルギー消費量に基づくエネルギー消費換算量を把握することができる。また、エネルギー消費換算量が目標値などを超える場合には、画面全体の背景色を変化させて、警告を表示することで、利用者が、当該情報を確実に把握することができる。
【００１２】
なお、エネルギー消費換算量は、例えば３０分毎に算出される。すなわち、ある時刻に計算を開始してから３０分間は、計算開始から現在までのエネルギー消費量に基づいて、計算開始から３０分後に外挿した時間当たりの換算量を表示する。したがって、計算開始初期は、エネルギー消費換算量が大きく変動する可能性がある。これに対しては、例えば最初の５分間などのマスク時間を設定し、マスク時間は、エネルギー消費換算量が目標値等を超えても、警告表示や背景色変化を行わないようにすることで、瞬間的なエネルギー消費量変化によって、警告画面等を表示することを防止することができる。
【００１３】
第２の発明は、エネルギー消費量表示方法であって、記憶部に記憶されている過去の所定時間毎のエネルギー消費量情報に基づいて、所定時間毎のエネルギー消費量を予測する工程と、所定時間毎のエネルギー消費量の実績を取得する工程と、所定時間毎のエネルギー消費量の予測値と実績値とを表示部に表示する工程と、を具備し、前記表示部には、アナログ時計表示部と、前記アナログ時計表示部の時計盤上に同心円状に設けられるエネルギー消費量予測値表示部およびエネルギー消費量実測値表示部とを表示し、前記エネルギー消費量予測値表示部には、設定された所定時間範囲の時間毎のエネルギー消費量の予測値を色によって表示し、前記アナログ時計表示部の短針の動作に応じて、前記エネルギー消費量実測値表示部に、所定時間毎にエネルギー消費量実測値を色によって表示することを特徴とするエネルギー消費量表示方法である。
【００１４】
このようにすることで、利用者は、時刻とともに、エネルギー消費量の実績を容易に把握することができる。
【発明の効果】
【００１５】
本発明によれば、エネルギーの使用量の予測値と実測値とを視覚的に分かりやすく表示することが可能な、エネルギー消費量表示装置等を提供することができる。
【図面の簡単な説明】
【００１６】
【図１】エネルギー消費量表示装置１を示すハードウェア構成図。
【図２】エネルギー消費量表示装置１の制御方法を示すフローチャート。
【図３】表示画面２０の例を示す図。
【図４】表示画面２０の例を示す図。
【図５】表示画面２０の例を示す図。
【図６】表示画面２０の例を示す図。
【発明を実施するための形態】
【００１７】
以下、図面を参照しながら、本発明の実施形態について説明する。図１は、エネルギー消費量表示装置１を示すハードウェア構成図である。エネルギー消費量表示装置１は、例えばコンピュータであり、制御部３、記憶部５、メディア入出力部７、通信制御部９、入力部１１、表示部１３、周辺機器Ｉ／Ｆ部１５等から構成され、それらがバス１７を介して接続される。
【００１８】
制御部３は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、記憶部５、ＲＯＭ、記録媒体等に格納されるプログラムをＲＡＭ上のワークメモリ領域に呼び出して実行し、バス１７を介して接続された各装置を駆動制御し、エネルギー消費量表示装置１が行う処理を実現する。
【００１９】
ＲＯＭは、不揮発性メモリであり、コンピュータのブートプログラムやＢＩＯＳ等のプログラム、データ等を恒久的に保持している。ＲＡＭは、揮発性メモリであり、記憶部５、ＲＯＭ、記録媒体等からロードしたプログラム、データ等を一時的に保持するとともに、制御部３が各種処理を行う為に使用するワークエリアを備える。
【００２０】
記憶部５は、ＨＤＤ（ハードディスクドライブ）やＳＳＤ（フラッシュＳＳＤ）（ソリッドステートドライブ）であり、制御部３が実行するプログラム、プログラム実行に必要なデータ、ＯＳ（オペレーティングシステム）等が格納される。プログラムに関しては、ＯＳ（オペレーティングシステム）に相当する制御プログラムや、後述の処理に相当するアプリケーションプログラムが格納されている。これらの各プログラムコードは、制御部３により必要に応じて読み出されてＲＡＭに移され、ＣＰＵに読み出されて各種の手段として実行される。また、記憶部５には、本発明において用いられる、各種データが保管される。
【００２１】
メディア入出力部７（ドライブ装置）は、データの入出力を行い、例えば、フロッピー（登録商標）ディスクドライブ、ＣＤドライブ（−ＲＯＭ、−Ｒ、ＲＷ等）、ＤＶＤドライブ（−ＲＯＭ、−Ｒ、−ＲＷ等）、ＭＯドライブ等のメディア入出力装置を有する。
【００２２】
通信制御部９は、通信制御装置、通信ポート等を有し、コンピュータとネットワーク間の通信を媒介する通信インタフェースであり、ネットワークを介して、例えば、制御部３によって天気情報や気温情報をインターネット上から取得することができる。
【００２３】
入力部１１は、データの入力を行い、例えば、キーボード、マウス等のポインティングデバイス、テンキー等の入力装置を有する。入力部１１を介して、コンピュータに対して、操作指示、動作指示、データ入力等を行うことができる。
【００２４】
表示部１３は、ＣＲＴモニタ、液晶パネル等のディスプレイ装置、ディスプレイ装置と連携してコンピュータのビデオ機能を実現するための論理回路等（ビデオアダプタ等）を有する。
【００２５】
周辺機器Ｉ／Ｆ（インタフェース）部１５は、コンピュータに周辺機器を接続させるためのポートであり、周辺機器Ｉ／Ｆ部１５を介してコンピュータは周辺機器とのデータの送受信を行う。例えば、電力計と接続され、消費電力を取得することができる。
【００２６】
バス１７は、各装置間の制御信号、データ信号等の授受を媒介する経路である。
【００２７】
次に、エネルギー消費量表示装置１の機能について説明する。なお、以下の説明において、エネルギーが電力である例について説明するが、他のエネルギーとしてガスや、電気とガスの組み合わせなどに対しても適用可能であることは言うまでもない。
【００２８】
図２は、エネルギー消費量表示装置１により、店舗や建物などにおける一日の電力消費量の実績を表示するための工程を示す図である。まず、制御部３は、記憶部５に予め記憶されている過去の電力消費量情報から、当日の設定時間範囲の電力消費量を予測する（ステップ１０１）。電力消費量情報とは、対象となる店舗や建物に対し、過去の複数の日における各日毎、所定時間毎（本実施形態では３０分毎）の電力消費量に関する情報である。なお、過去の情報がない場合には、類似した営業形態や電力消費量をとる他の店舗や事業所の情報を用いても良い。
【００２９】
例えば、記憶部５には、過去の季節ごと、曜日（例えば、平日、土曜日、日曜日、祭日など）ごとの電力消費量の所定時間毎の平均値が格納されている。計算対象となる日と、同一の季節、曜日の過去の電力消費量情報から、当日の所定時間毎の電力消費量が予測される。この際、当日の、天候、気温情報に基づいて、予め記憶された気温または天候と電力消費量の相関から、電力消費量を補正しても良い。
【００３０】
なお、設定時間範囲は、例えば店舗の営業時間や、事業所等の稼働時間に基づいて設定される。例えば、朝９時から夜７時までの営業であれば、その前後を含む、朝の８時から夜の８時までというように設定すればよい。このように設定された時間は、記憶部５に記憶される。
【００３１】
次に、制御部３は、表示部にアナログ時計を表示する（以下、アナログ時計表示部）。また、アナログ時計表示部の時計盤には、アナログ時計と同心円上に電力消費量予測値を色によって表示する（以下、電力消費量予測値表示部）（ステップ１０２）。
【００３２】
図３は、表示画面２０の表示例を示す図である。表示画面２０には、アナログ時計表示部２１が表示される。アナログ時計表示部２１は、時刻の推移とともに、長針および短針が移動する。すなわち、アナログ時計表示部２１は、通常の時計として機能する。アナログ時計表示部２１の時計盤上には、アナログ時計と同心円上に電力消費量予測値表示部２５が設けられる。電力消費量予測値表示部２５には、設定時間範囲（図では、朝８時から夜８時までの１２時間）における、所定時間（例えば３０分）毎の電力消費量の予測値が色によって表示される。例えば、電力消費量が多くなるにつれて、緑色〜橙色〜赤色に徐々に変化するように設定される。
【００３３】
なお、１２時間以上の設定時間範囲の場合には、所定時間経過後、時刻の推移とともに随時電力消費量の予測値を上書きしてもよい。また、電力消費量予測値表示部２５と同心円上には、電力消費量実績値表示部２３が設けられる。電力消費量実績値表示部２３については、後述する。
【００３４】
また、制御部３は、アナログ時計表示部とは別に、現在の電力消費量をリアルタイムに表示する（以下、電力消費量リアルタイム表示部）。電力消費量リアルタイム表示部２９は、例えば、表示画面２０の左側に表示されるメータ（半円）である。電力消費量リアルタイム表示部２９は、前述した電力消費量予測値表示部２５と同様に、電力消費量に応じてメータ上に色分け表示される。
【００３５】
なお、電力消費量リアルタイム表示部２９は、現在の電力消費量を表示する部位である。現在の電力消費量とは、電力計等から取得した計算開始時から現在までの電力消費量に基づいて、所定時間毎（例えば３０分）に算出され、計算開始時から所定時間後までの時間当たりの電力消費量の換算量である。例えば、８時に計算を開始すると（計算開始時）、８時半までの３０分間は、８時から現在までの積算電力消費量を算出し、例えば５分前から現在までの積算電力消費量の傾きから、３０分後における電力消費換算量を外挿することで、時間当たりの電力消費換算量を算出する。なお、上記の計算は、例えば３０秒毎または１分毎に行われる。８時半になると、電力消費換算量はリセットされ、８時半からの３０分間の電力消費換算量がリアルタイムで算出される。なお、電力消費換算量は、計算開始時から現在までの平均電力消費量から、３０分後における電力消費量に換算しても良い。このように、制御部３は、電力計からの電力消費情報を取得して、電力消費換算量（以下、単に「電力消費量」とする）を算出し、電力消費量リアルタイム表示部２９に表示する。なお、実際に電力消費量リアルタイム表示部２９に表示される電力消費換算量は、３０分の電力消費量換算量をさらに１時間の電力消費量に換算したものが３０分毎に表示される。
【００３６】
また、制御部３は、表示画面２０に目標電力設定部３３、警戒電力設定部３１を表示する。例えば、通常、３０分毎の電力消費量（１時間換算）が、契約電力を超えると、より高い電力料金を支払う必要がある。したがって、３０分毎の電力消費量（１時間換算）が契約電力を超えないように、節電を行う必要がある。なお、警戒電力としては、例えば契約電力の９０％程度とし、目標電力としては、契約電力の８０％程度と設定すればよい。
【００３７】
また、制御部３は、表示画面２０に表示切り替えボタン２７を表示する。表示切り替えボタン２７は、表示される対象のエネルギー（例えば電力とガス）を切り替えたり、過去の日のデータを表示させたりすることができる。
【００３８】
次に、制御部３は、現在の電力消費量が、設定された目標電力または警戒電力よりも高いかどうかを判定する。（ステップ１０３）。目標電力または警戒電力よりも、現在の電力消費量が低い場合には、電力消費量の換算値計算間隔（例えば３０分）ごとに、アナログ時計表示部２１の電力消費量実績値表示部２３に、その間の電力消費量を色によって表示する（ステップ１０５）。
【００３９】
制御部３は、設定時間経過（例えば夜８時）まで以上の動作を繰り返す（ステップ１０６）。図４は、一例として、１４時１５分になった状態を示す図である。電力消費量実績値表示部２３は、前述の例では３０分毎に、色によって電力消費量の実績値が表示される。なお、電力消費量実績値表示部２３における色と、電力消費量予測値表示部２５における色と、電力消費量リアルタイム表示部２９における色とは、電力消費量に対して同一の色分けで設定される。したがって、例えば電力消費量リアルタイム表示部２９を、各表示部の色の凡例として機能させることができる。
【００４０】
なお、電力消費量予測値表示部２５は、図示したように、時間の経過とともに、色を消しても良く、そのまま表示させても良い。また、外周側の電力消費量実績値表示部２３と、内周側の電力消費量予測値表示部２５とは、内外を逆に表示させても良く、時計盤と同心円上に表示させれば、それぞれいずれの位置でも良い。
【００４１】
次に、リアルタイムで監視する電力消費量が、目標電力を上回った場合について説明する。制御部３は、現在の電力消費量（計算開始から３０分経過するまでの、各時点での電力消費量から算出される電力消費換算量）が、設定電力（目標電力）を超えると、表示画面の背景色を変更し、警告画面を表示する（ステップ１０４）。
【００４２】
図５は、電力消費量が目標電力を超過した状態を示す図である。電力消費量が目標電力を超えると、制御部３は、まず、表示画面２０の背景３７の色を変更する。例えば、通常は、背景３７は、緑色などの目立たない色で設定されるが、電力消費量が目標電力を超過すると、背景を橙色に変更する。また、制御部３は、表示画面２０に警告表示３９を表示する。さらに、制御部３は、ガイダンス表示４１を表示する。
【００４３】
警告表示３９は、例えば、「注意」などの単語やマークである。また、ガイダンス表示４１は、目標電力を超過した旨と、電力の使用制限等の情報である。例えば、電力消費量が所定値を超えると、一部の照明などを間引いて点灯させる等、電力の使用量を抑えるための制御が行われる場合には、その内容と、節電の注意喚起などが表示される。
【００４４】
図６は、さらに、電力消費量が警戒電力を超過した状態を示す図である。電力消費量が警戒電力を超えると、制御部３は、表示画面２０の背景３７の色をさらに変更する。例えば、背景を赤色に変更する。また、制御部３は、表示画面２０に警告表示３９を表示する。さらに、制御部３は、ガイダンス表示４１を表示する。
【００４５】
警告表示３９は、例えば、「警戒」などの単語やマークである。また、ガイダンス表示４１は、警戒電力を超過した旨と、電力の使用制限等の情報である。例えば、電力消費量が所定値を超えると、強制的に空調等の電源が遮断され、電力の使用量を抑えるための制御が行われる場合には、その内容と、節電の注意喚起などが表示される。
【００４６】
このように、電力消費量が目標電力または警戒電力を超えた場合に、背景３７の色を変更して、警告表示を行うことで、利用者は、容易に、電力消費量が所定電力を超えたことを把握することができる。また、３０分毎の電力消費量が例えば契約電力を超えることを事前に防ぐことができる。
【００４７】
なお、前述したように、電力消費量リアルタイム表示部２９で表示される電力消費量は、計算開始から例えば３０分までの間における各時点での電力消費量から外挿して算出される、３０分後における電力消費換算量である。したがって、計算開始直後は、瞬間的な電力消費量の変動を受けやすく、瞬間的に目標電力や警戒電力を超過する恐れがある。したがって、本発明では、制御部３は、計算開始から所定期間（例えば５分）のマスク時間を設定し、この間は、電力消費量が目標電力や警戒電力を超えても、背景３７の色変更や警告表示３９などを行わない。このようにすることで、安定した警告表示を行うことができる。
【００４８】
なお、制御部３は、電力消費量が目標電力や警戒電力を超過した場合に、背景３７の色変更等が行われた後、電力消費量が目標電力以下となった場合には、画面を通常表示（例えば図３）に戻す。以上を設定時間が経過するまで繰り返し、電力消費量実績値表示部２３に各時間毎の電力消費量を表示する。
【００４９】
設定時間が経過した後は、制御部３は、その日の電力消費量実績値を表示した状態で表示画面２０を保持する。その後、例えば、設定時間の数時間前に、電力消費量実績値表示部２３をクリアし、翌日の電力消費量予測を行って、電力消費量予測値表示部２５に設定時間範囲の電力消費量予測値を表示する。なお、制御部３は、電力消費量実績値を記憶部５に保存し、以後の電力消費量情報として利用する。
【００５０】
以上、本発明によれば、アナログ時計の時計盤上に電力消費量の予測値および実績値を表示するため、利用者は、時間と電力消費量との関係が分かりやすく、また、営業時間等との関係についても容易に把握することができる。特に、電力消費量が色によって表示されるため、直観的に分かりやすい。
【００５１】
また、現在の電力消費量がリアルタイムで表示されるため、過去の実績と合わせて、電力消費量を容易に把握することができる。この際、現在の電力消費量が、目標電力また警戒電力を超過すると、背景色を変更して、警告を表示するため、利用者は、一目で、電力消費量が所定値を超えたことを把握することができる。
【００５２】
この際、現在の電力消費量に対して、時間当たりの換算量を計算する計算開始時から所定期間のマスク時間を設定することで、計算開始直後の瞬間的な電力消費量の変動によって、誤って警告画面等を表示することを防止することができる。
【００５３】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００５４】
例えば、表示画面には、エネルギー消費量以外の情報を合わせて表示することもできる。この場合、アナログ時計表示部２１の時計盤の同心円上に、外気温度（時間毎の気温を表示）、天気予報（時間毎の天気を表示）、熱中症注意度（時間毎に所定温度以上となる時間に警告表示）、花粉飛散度（所定以上の花粉が飛散すると予想される時間に警告表示）、傘の要否（雨などが降ると予想される時間にマークを表示）などの生活情報を表示させても良い。このような生活情報は、現在時刻よりも前の実績値と、今後の予想を表示させても良い。このような生活情報を合わせて表示することで、利用者が外出予定などの参考とすることができ、効率良く節電計画を立てることができる。
【符号の説明】
【００５５】
１………エネルギー消費量表示装置
３………制御部
５………記憶部
７………メディア入出力部
９………通信制御部
１１………入力部
１３………表示部
１５………周辺機器Ｉ／Ｆ部
１７………バス
２０………表示画面
２１………アナログ時計表示部
２３………電力消費量実績値表示部
２５………電力消費量予測値表示部
２７………表示切り替えボタン
２９………電力消費量リアルタイム表示
３１………警戒電力設定部
３３………目標電力設定部
３７………背景
３９………警告表示
４１………ガイダンス表示
【図１】
2014096106.tif 000003
【図２】
2014096106.tif 000004
【図３】
2014096106.tif 000005
【図４】
2014096106.tif 000006
【図５】
2014096106.tif 000007
【図６】
2014096106.tif 000008